(57)【特許請求の範囲】
【請求項１】
お互いに対向に配置される第１端及び第２端を有し、前記第１端の上で枢動するリファレンスシャフトを有するアームボディーを備えるメインアームユニットと、
接続軸を介して前記メインアームユニットの前記第２端で枢動し、すべて順序に枢動する第１の接続ヘッド、一対の接続棒、第２の接続ヘッドを有し、前記第２の接続ヘッドの外端部分の上に配置されるドリルガイド部を有し、前記ドリルガイド部がドリルガイドホールを有する延長アームユニットと、を備え、
前記延長アームユニットの前記第１の接続ヘッドは、その内に垂直に配置される第１の接続ホールを有し、前記メインアームユニットの前記第２端は、その内に垂直に配置される第２の接続ホールを有し、前記接続軸は、前記第１の接続ホール及び前記第２の接続ホールを貫通して接続し、
前記第１の接続ヘッドは、第１の接続トレンチを有し、前記第１の接続トレンチの両側に、一対の第１の接続アームがあり、前記一対の第１の接続アームは、それぞれ上部位置に第１のピンホールを有し、及び下部位置に第２のピンホールを有し、前記第２の接続ヘッドは、第２の接続トレンチを有し、前記第２の接続トレンチの両側に、一対の第２の接続アームがあり、前記一対の第２の接続アームは、それぞれ上部位置に第３のピンホールを有し及び下部位置に第４のピンホールを有し、一対の接続棒は、前記第１の接続トレンチと前記第２の接続トレンチとの間にお互いに平行するように配置される第１の接続棒及び第２の接続棒を備え、第１のピン及び第３のピンは、それぞれ前記第１の接続棒の両端の第１のピボットホール及び第３のピボットホールを貫通することによって、それぞれ前記第１のピンホール及び前記第３のピンホールで枢動し、第２のピン及び第４のピンは、それぞれ前記第２の接続棒の両端の第２のピボットホール及び第４のピボットホールを貫通することによって、それぞれ前記第２のピンホール及び前記第４のピンホールで枢動し、
前記第１の接続棒は、前記ドリルガイド部の角度を調整するための第１の長さ調整機構を有する複数の歯科インプラントホールをあけるための位置決め補助装置。
【請求項２】
前記メインアームユニットの前記第１端は、その内に垂直に配置されて、前記リファレンスシャフトを通させる軸ホール有し、前記メインアームユニットは、前記リファレンスシャフトに対応する第１の位置決め機構を有する請求項１に記載の複数の歯科インプラントホールをあけるための位置決め補助装置。
【請求項３】
少なくとも第１の位置決め溝が、前記リファレンスシャフトの高度において前記リファレンスシャフトを囲み、前記アームボディーは、前記軸ホールに通じる第１のスルーホールを有し、前記第１の位置決め機構は、
前記第１のスルーホールに固定されるための第１の固定ねじボルトと、
前記第１の固定ねじボルトの前記軸ホール向き側に配置される第１のスプリングと、
前記第１のスプリングの前記軸ホール向き側に配置される第１の位置決めビードとを備え、前記第１の位置決めビードと前記リファレンスシャフトの前記第１の位置決め溝は、弾力的に噛合する請求項２に記載の複数の歯科インプラントホールをあけるための位置決め補助装置。
【請求項４】
前記リファレンスシャフトは、外径が前記軸ホールの直径より大きく、前記第１の位置決め溝の下に配置される第１の止めカラーを有する請求項３に記載の複数の歯科インプラントホールをあけるための位置決め補助装置。
【請求項５】
前記メインアームユニットは、前記接続軸に対応する第２の位置決め機構を更に有する請求項１に記載の複数の歯科インプラントホールをあけるための位置決め補助装置。
【請求項６】
第２の位置決め溝は、前記接続軸を囲み、前記アームボディーは、前記第２の接続ホールに通じる第２のスルーホールを有し、前記第２の位置決め機構は、
前記第２のスルーホールに固定されるための第２の固定ねじボルトと、
前記第２の固定ねじボルトの前記第２の接続ホール向き側に配置される第２のスプリングと、
前記第２のスプリングの前記第２の接続ホール向き側に配置される第２の位置決めビードとを備え、前記第２の位置決めビードと前記接続軸の前記第２の位置決め溝は、弾力的に噛合する請求項５に記載の複数の歯科インプラントホールをあけるための位置決め補助装置。
【請求項７】
前記接続軸は、外径が前記第１の接続ホールの直径より大きく、前記第１の接続ホールの上に配置される第２の止めカラーを有する請求項６に記載の複数の歯科インプラントホールをあけるための位置決め補助装置。
【請求項８】
前記第１の長さ調整機構は、お互いに重なり合う第１の調整棒と第３の調整棒を有する第１の接続棒を備え、前記第１のピボットホールは、前記第１の調整棒の外端に配置され、前記第３のピボットホールは、前記第３の調整棒の外端に配置される請求項１に記載の複数の歯科インプラントホールをあけるための位置決め補助装置。
【請求項９】
前記第１の接続棒は、前記第１の調整棒及び前記第３の調整棒を固定するための第１の固定機構を有する請求項８に記載の複数の歯科インプラントホールをあけるための位置決め補助装置。
【請求項１０】
前記第１の固定機構は、
前記第１の調整棒及び前記第３の調整棒をカバーするための第１のカバーと、
前記第１のカバーに配置され、力を加えて前記第３の調整棒と前記第１の調整棒を押さえて締め付けるための第１の固定装置と、
を備える請求項９に記載の複数の歯科インプラントホールをあけるための位置決め補助装置。
【請求項１１】
前記第１の固定装置は、ねじボルトである請求項１０に記載の複数の歯科インプラントホールをあけるための位置決め補助装置。
【請求項１２】
複数の滑り止めグルーブは、前記ねじボルトの外部に配置される請求項１１に記載の複数の歯科インプラントホールをあけるための位置決め補助装置。
【請求項１３】
ノブは、前記ねじボルトのトップに配置される請求項１１に記載の複数の歯科インプラントホールをあけるための位置決め補助装置。
【請求項１４】
前記第１の固定装置は、偏心トグルである請求項１０に記載の複数の歯科インプラントホールをあけるための位置決め補助装置。
【請求項１５】
前記第１の調整棒及び前記第３の調整棒は、それぞれにその隣接面に配置される第１のねじ山によって噛合する請求項８に記載の複数の歯科インプラントホールをあけるための位置決め補助装置。
【請求項１６】
前記第１の調整棒及び前記第３の調整棒の側面にそれぞれ目盛線を配置する請求項８に記載の複数の歯科インプラントホールをあけるための位置決め補助装置。
【請求項１７】
前記アームボディーは、第２の長さ調整機構を有する請求項１に記載の複数の歯科インプラントホールをあけるための位置決め補助装置。
【請求項１８】
前記第２の長さ調整機構は、お互いに重なり合う第１の調整アームと第２の調整アームを有するアームボディーを備え、前記第１の調整アームの外端は、第１端に形成され、前記第２の調整アームの外端は、第２端に形成される請求項１７に記載の複数の歯科インプラントホールをあけるための位置決め補助装置。
【請求項１９】
前記アームボディーは、前記第１の調整アーム及び前記第２の調整アームを固定するための第２の固定機構をも有する請求項１８に記載の複数の歯科インプラントホールをあけるための位置決め補助装置。
【請求項２０】
前記第２の固定機構は、
前記第１の調整アーム及び前記第２の調整アームをカバーするための第２のカバーと、
前記第２のカバーに配置され、力を加えて前記第２の調整アームと前記第１の調整アームを押さえて緊密に噛合させるための第２の固定装置と、
を備える請求項１９に記載の複数の歯科インプラントホールをあけるための位置決め補助装置。
【請求項２１】
前記第１の調整アーム及び前記第２の調整アームは、それぞれにその隣接面に配置される第２のねじ山によって噛合する請求項１８に記載の複数の歯科インプラントホールをあけるための位置決め補助装置。
【発明の詳細な説明】
【技術分野】
【０００１】
本発明は、ドリリングするための位置決め補助装置に関し、特に複数の歯科インプラントホールをあけるための位置決め補助装置に関する。
【背景技術】
【０００２】
ひどい齲歯又はその他の原因による歯の破断、損傷又は抜歯の場合に、歯科インプラント物（又は人工歯）を歯の抜けた位置に充填して、歯の外観及び無欠性を復元させる。
【０００３】
完全なる新しい歯科インプラント物を充填する「キャリング」方式は、従来の歯科復元方式の一つである。簡単に言うと、喪失歯に隣接する２歯のトップを部分的に研磨して、喪失歯及び側面歯ブリッジを備えるユニットを製造し、前記ユニットを、隣接歯の研磨したトップの上に側面歯ブリッジを粘着することによって、そこに置く。隣接歯は喪失歯の位置における歯科インプラント物をサポートしてキャリングする。
【０００４】
「キャリング」方式は、かなり安価であるが、不良な粘着力で、隣接する健康な歯を損なってしまうため、良い歯科復元方式とはいえない。
【０００５】
そのため、歯科インプラント手術は、歯科業及び歯科患者に広く用いられ、前記手術では、人工歯根をインプラントするが、隣接歯を損うことはない。
【０００６】
前記歯科インプラント手術は、喪失歯の位置に対応する患者の歯肉にドリリングして、既製の人工歯根をホールに置いて固定する。そのため、歯科インプラントの品質は、ドリリング位置及びドリリング角度の精度によって決められる。
【０００７】
従来の歯科インプラント手術において、人工歯根のドリリング位置及び角度は、歯医者の経験によって決められる。しかしながら、歯医者による精度制御は困難であるので、ドリリング位置、角度及びインプラント歯根には偏差が発生してしまう。そのため、転位した歯根は、精確に隣接歯に対応できなく、更に歯科インプラント手術の失敗にいたってしまう。
【発明の概要】
【発明が解決しようとする課題】
【０００８】
そのため、更にドリリングするための位置決め補助装置が開発されており、リファレンスロッド(reference rod)、ガイドプレートセット（guiding plate set）及びその類似物がプレドリリング位置に置かれて、ドリリング位置の精度を保証する。しかしながら、複数の歯科インプラントホールをあける場合に、位置決め補助装置のリファレンスロッド、ガイドプレートセット及びその類似物をホールごとに対応して置く必要があり、数々の不便をもたらしてしまう。
【０００９】
前記問題を解決するために、患者の歯肉によって歯型を予め作って、続いて前記歯型によって歯科インプラントホールをあける。しかしながら、歯型のコスト及び歯科インプラントの待ち時間が増加する。
【００１０】
以上の原因で、複数の歯科インプラントホールをあけるのはやはり不便である。
【課題を解決するための手段】
【００１１】
そのため、本発明の一態様において、歯型構造の製造を代わりに、ホールをあけて歯科インプラント物を複数の位置に置いて、さらに、歯科インプラント物の精確な位置決めと角度を保証できる複数の歯科インプラントホールをあけるための位置決め補助装置を提供する。
【００１２】
本発明の他の態様において、好適に用いる複数の歯科インプラントホールをあけるための位置決め補助装置を提供する。
【００１３】
一実施例によれば、本発明の主な特徴は、複数の歯科インプラントホールをあけるための位置決め補助装置であり、前記位置決め補助装置は、お互いに対向に配置される第１端及び第２端を有し、前記第１端の上で枢動するリファレンスシャフト(reference shaft)を有するアームボディーを備えるメインアームユニットと、接続軸を介してメインアームユニットの第２端で枢動し、すべて順序に枢動する第１の接続ヘッド、一対の接続棒、第２の接続ヘッドを有し、第２の接続ヘッドの外端部分の上に配置されるドリルガイド部を有し、前記ドリルガイド部がドリルガイドホールを有する延長アームユニットを備える。リファレンスシャフトは第１の歯科インプラントホールの所要位置に挿入されて固定され、参照及びサポートを提供する。なお、延長アームユニットのドリルガイドホールの位置及び角度は、リファレンスロッド及び接続軸で枢動することによって調整されて、その他の歯科インプラントホールに達する。よって、ドリルガイドホールを介してドリルを導くことで、精確にその他の歯科インプラントホールをあける。
【００１４】
一実施例において、メインアームユニットは、リファレンスシャフトに対応する第１の位置決め機構を有し、その内、少なくとも第１の位置決め溝が、リファレンスシャフトの高度において前記リファレンスシャフトを囲み、アームボディーは、軸ホールに通じる第１のスルーホールを有し、第１の位置決め機構は、第１のスルーホールに固定されるための第１の固定ねじボルトと、第１の固定ねじボルトの軸ホール向き側に配置される第１のスプリングと、第１のスプリングの軸ホール向き側に配置される第１の位置決めビードとを備え、第１の位置決めビードとリファレンスシャフトの第１の位置決め溝は、弾力的に噛合する。メインアームユニットの第１の位置決め溝は、異なる高度において、第１の位置決めビードと噛合するために、メインアームユニット及び延長アームユニットの高度は、相対的に調整して位置決めされる。
【００１５】
一実施例において、延長アームユニットの第１の接続ヘッドは、その内に垂直に配置される第１の接続ホールを有し、メインアームユニットの第２端は、その内に垂直に配置される第２の接続ホールを有し、接続軸は、第１の接続ホール及び第２の接続ホールを貫通して接続し、メインアームユニットは、接続軸に対応する第２の位置決め機構を更に有し、その内、第２の位置決め溝は、前記接続軸を囲み、アームボディーは、第２の接続ホールに通じる第２のスルーホールを有し、第２の位置決め機構は、第２のスルーホールに固定されるための第２の固定ねじボルトと、第２の固定ねじボルトの第２の接続ホール向き側に配置される第２のスプリングと、第２のスプリングの第２の接続ホール向き側に配置される第２の位置決めビードとを備え、その内、第２の位置決めビードと接続軸の第２の位置決め溝は、弾力的に噛合する。そのため、接続軸、メインアームユニット、延長アームユニットは、それらにおいて枢動して位置決めされる。
【００１６】
一実施例において、第１の接続ヘッドは、第１の接続トレンチを有し、第１の接続トレンチの両側に、一対の第１の接続アームがあり、前記一対の第１の接続アームは、それぞれ上部位置に第１のピンホールを有し、及び下部位置に第２のピンホールを有し、第２の接続ヘッドは、第２の接続トレンチを有し、第２の接続トレンチの両側に、一対の第２の接続アームがあり、前記一対の第２の接続アームは、それぞれ上部位置に第３のピンホールを有し、及び下部位置に第４のピンホールを有し、一対の接続棒は、第１の接続トレンチと第２の接続トレンチとの間にお互いに平行するように配置される第１の接続棒及び第２の接続棒を備え、第１のピン及び第３のピンは、それぞれ第１の接続棒の両端の第１のピボットホール及び第３のピボットホールを貫通することによって、それぞれ第１のピンホール及び第３のピンホールで枢動し、第２のピン及び第４のピンは、それぞれ第２の接続棒の両端の第２のピボットホール及び第４のピボットホールを貫通することによって、それぞれ第２のピンホール及び第４のピンホールで枢動する。第１の接続ヘッド、第２の接続ヘッド、第１の接続棒、第２の接続棒は、フォーバーリンケージ(four bar linkage)に形成されて、その位置を自由に調整する。
【００１７】
一実施例において、第１の接続棒は、第１の長さ調整機構を有し、第１の接続棒の全長を調整し、ドリルガイド部及びドリルガイドホールの角度を調整する。
【００１８】
一実施例において、第１の長さ調整機構は、お互いに重なり合う第１の調整棒と第３の調整棒を有する第１の接続棒を備え、第１のピボットホールは、第１の調整棒の外端に配置されて第１のピンで枢動し、第３のピボットホールは、第３の調整棒の外端に配置されて第３のピンで枢動する。第１の調整棒と第３の調整棒が重なる部分の長さを調整することによって、第１の接続棒の全長は相対的に調整される。
【００１９】
一実施例において、第１の接続棒は、第１の調整棒及び第３の調整棒を固定するための第１の固定機構を有する。そのため、調整後の長さを有する第１の接続棒は固定される。
【００２０】
一実施例において、第１の固定機構は、第１の調整棒及び第３の調整棒をカバーするための第１のカバーと、前記第１のカバーに配置され、力を加えて第３の調整棒と第１の調整棒を押さえて締め付け、固定機能を実現するための第１の固定装置と、を備える。
【００２１】
一実施例において、第１の調整棒及び第３の調整棒は、それぞれにその隣接面に配置される第１のねじ山によって噛合し、第１の調整棒と第３の調整棒をより安定に重なり合わせる。
【００２２】
一実施例において、第１の調整棒及び第３の調整棒の側面にそれぞれ目盛線を配置して、肉眼によって第１の接続棒の長さを推定する。
【００２３】
一実施例において、アームボディーは、第２の長さ調整機構及び第２の固定機構を有し、アームボディーの全長を調整し、調整後の長さを有するアームボディーを固定する。
【００２４】
以上の一般的な叙述及び以下の詳細な叙述の全部は、（実施）例であり、請求（項）で本発明の更なる説明を提供しようとすることは理解すべきである。
【図面の簡単な説明】
【００２５】
実施例に対する以下の詳細な叙述によって、本発明をより充分に了解でき、下記の図面を参照する。
【００２６】
【図１】本発明の一実施例による複数の歯科インプラントホールをあけるための位置決め補助装置を示す立体図である。
【図２】図１による複数の歯科インプラントホールをあけるための位置決め補助装置を示す分解図である。
【図２ａ】他の角度から見る図２の複数の歯科インプラントホールをあけるための位置決め補助装置のメインアームユニットを示す図である。
【図２ｂ】本発明の他の実施例によって、図２の複数の歯科インプラントホールをあけるための位置決め補助装置の第１の固定機構を示す図である。
【図２ｃ】本発明のさらに他の実施例によって、図２の複数の歯科インプラントホールをあけるための位置決め補助装置の第１の固定機構を示す図である。
【図３】図１の複数の歯科インプラントホールをあけるための位置決め補助装置を示す平面図である。
【図４】図１の複数の歯科インプラントホールをあけるための位置決め補助装置を示す側面図である。
【図５】図１の複数の歯科インプラントホールをあけるための位置決め補助装置を示す組立図である。
【図６】図１の複数の歯科インプラントホールをあけるための位置決め補助装置を示す動作図である。
【図７】図１の複数の歯科インプラントホールをあけるための位置決め補助装置を示す他の動作図である。
【図８】図７の複数の歯科インプラントホールをあけるための位置決め補助装置を示す更なる変形図であり、メインアームユニットのアームボディーの調整可能な長さを示す。
【発明を実施するための形態】
【００２７】
本発明の実施例に関する前記及び他の技術内容、特性及び効果を、添付図面の例証で詳細に説明する。
【００２８】
図１〜図７は、本発明の一実施例による複数の歯科インプラントホールをあけるための位置決め補助装置の構造を示すいくつかの図である。ドリリングするための位置決め補助装置は、メインアームユニット１００、延長アームユニット２００、リファレンスシャフト３００、接続軸４００を備えることができる。
【００２９】
メインアームユニット１００は、お互いに対向に配置される第１端１１０及び第２端１２０を有するアームボディー１３０を備える。メインアームユニットの第１端１１０は、その内に垂直に配置されて、リファレンスシャフト３００を通させる軸ホール１１１を有し、メインアームユニット１００は、リファレンスシャフト３００に対応する第１の位置決め機構１４０を有する。
【００３０】
第１の位置決め機構１４０とリファレンスシャフト３００との関係について、三つの第１の位置決め溝３１０は、リファレンスシャフト３００の様々な高度でリファレンスシャフト３００を囲むことができ、メインアームユニット１００のアームボディー１３０は、軸ホール１１１に通じる第１のスルーホール１３１を有し、第１の位置決め機構１４０は、第１の固定ねじボルト１４１、第１のスプリング１４２、第１の位置決めビード１４３を備える。第１の固定ねじボルト１４１は、第１のスルーホール１３１に固定され、第１のスプリング１４２は、第１の固定ねじボルト１４１の軸ホール１１１向き側に配置され、第１の位置決めビード１４３は、第１のスプリング１４２の軸ホール１１１向き側に配置され、その内、第１の位置決めビード１４３とリファレンスシャフト３００の第１の位置決め溝３１０は、弾力的に噛合する。異なる高度におけるメインアームユニット１００の第１の位置決め溝３１０は、第１の位置決めビード１４３と噛合するため、メインアームユニット１００及び延長アームユニット２００の高度は、相対的に調整して位置決めされることができる。
【００３１】
リファレンスシャフト３００は、外径が軸ホール１１１の直径より大きく、第１の位置決め溝３１０の下に配置されて、メインアームユニット１００の低い位置を限定するための第１の止めカラー３２０を有する。リファレンスシャフト３００は、位置決めとサポートのために、患者の歯肉６００に予めあけた第１の歯科インプラントホール６１０に挿入して固定されることができる。
【００３２】
延長アームユニットユニット２００は、すべて順序に枢動する第１の接続ヘッド２１０、一対の接続棒２３０と接続棒２４０、及び第２の接続ヘッド２２０を有する。第１の接続ヘッド２１０は、その内に垂直に配置される第１の接続ホール２１１を有し、メインアームユニット１００の第２端１２０も、その内に垂直に配置される第２の接続ホール１２１を有し、接続軸４００は、第１の接続ホール２１１及び第２の接続ホール１２１を貫通して接続する。そのため、メインアームユニット１００及び延長アームユニット２００は、ベンドアーム構造を形成し、リファレンスシャフト３００及び接続軸４００を別々に枢動することによって、自由に伸ばしたり、曲がったりすることができる。
【００３３】
メインアームユニット１００は、接続軸４００に対応して第１の位置決め機構１４０と同一な構造を有する第２の位置決め機構１５０を更に備える。第２の位置決め機構１５０と接続軸４００との関係について、第２の位置決め溝４１０は、接続軸４００を囲み、メインアームユニット１００のアームボディー１３０は、第２の接続ホール１２１に通じる第２のスルーホール１３２を有し、第２の位置決め機構１５０は、第２の固定ねじボルト１５１、第２のスプリング１５２、第２の位置決めビード１５３を備える。第２の固定ねじボルト１５１は、第２のスルーホール１３２に固定され、第２のスプリング１５２は、第２の固定ねじボルト１５１の第２の接続ホール１２１向き側に配置され、第２の位置決めビード１５３は、第２のスプリング１５２の第２の接続ホール１２１向き側に配置され、その内、第２の位置決めビード１５３は接続軸４００の第２の位置決め溝４１０と弾力的に噛合する。接続軸４００が一旦延長アームユニット２００の第１の接続ホール２１１及びメインアームユニット１００の第２の接続ホール１２１を貫通すると、第２の位置決め機構１５０の第２の位置決めビード１５３が接続軸４００の第２の位置決め溝４１０と自動で弾力的に噛合するようになり、それにより、接続軸４００、メインアームユニット１００及び延長アームユニット２００は迅速に枢動して位置決めされる。
【００３４】
接続軸４００は、外径が第１の接続ホール２１１の直径より大きく、第１の接続ホール２１１の上に配置されて、延長アームユニット２００の位置を離れさせないように限定するための第２の止めカラー４２０を有する。
【００３５】
以下、実施された例を示し、延長アームユニット２００の構造を説明する。延長アームユニット２００の第１の接続ヘッド２１０は、第１の接続トレンチ２１２を有し、第１の接続トレンチ２１２の両側には、一対の第１の接続アーム２１３があり、当該一対の第１の接続アーム２１３は、それぞれ上部位置及び下部位置に第１のピンホール２１４及び第２のピンホール２１５有する。第２の接続ヘッド２２０も第２の接続トレンチ２２２を有し、第２の接続トレンチ２２２の両側には、一対の第２の接続アーム２２３があり、当該一対の第２の接続アーム２２３は、それぞれ上部位置及び下部位置に第３のピンホール２２４及び第４のピンホール２２５を有する。一対の接続棒は、第１の接続トレンチ２１２と第２の接続トレンチ２２２との間にお互いに平行するように設置される第１の接続棒２３０及び第２の接続棒２４０を含む。第１の接続棒２３０は、第１の接続棒２３０の長さを調整するための第１の長さ調整機構２３３を有する。第１のピン２５１及び第３のピン２５３は、それぞれに第１の接続棒２３０の両端に位置する第１のピボットホール２３１及び第３のピボットホール２３２を貫通することによって、それぞれに第１の接続ヘッド２１０の第１のピンホール２１４及び第２の接続ヘッド２２０の第３のピンホール２４４で枢動する。第２の接続棒２４０は、固定された長さを有し、第２のピン２５２及び第４のピン２５４は、それぞれに第２の接続棒２４０の両端に位置する第２のピボットホール２４１及び第４のピボットホール２４２を貫通することによって、それぞれに第１の接続ヘッド２１０の第２のピンホール２１５及び第２の接続ヘッド２２０の第４のピンホール２２５で枢動する。そのため、第１の接続ヘッド２１０、第２の接続ヘッド２２０、第１の接続棒２３０、第２の接続棒２４０は、フォーバーリンケージに形成されて、その位置を自由に調整する。
【００３６】
以下、実施された例を示し、第１の接続棒２３０の第１の長さ調整機構２３３を説明する。第１の接続棒２３０は、お互いに重なり合う第１の調整棒２３４と第３の調整棒２３５を有し、第１のピボットホール２３１は、第１の調整棒２３４の外端に配置され、第３のピボットホール２３２は、第３の調整棒２３５の外端に設置される。そのため、第１の調整棒２３４と第３の調整棒２３５が重なる部分の長さを調整することよって、第１の接続棒２３０の全長が相対的に調整されて、更に第２の接続ヘッド２２０に接続されたドリルガイド部２７０の角度を調整する。
【００３７】
第１の調整棒２３４及び第３の調整棒２３５の側面にそれぞれ目盛線２３７を配置して、目盛線２３７に重ね合わせて、肉眼によって第１の接続棒の長さを推定する。また、第１の調整棒２３４及び第３の調整棒２３５は、それぞれにその隣接面に配置される第１のねじ山２３６によって噛合して、第１の調整棒２３４と第３の調整棒２３５をより安定に重なり合わせる。
【００３８】
第１の接続棒２３０の調整後の長さを安定させるために、第１の接続棒２３０は、第１の調整棒２３４及び第３の調整棒２３５を固定するための第１の固定機構２６０を有する。実施された例において、固定機構は、第１のカバー２６１及び第１の固定装置２６２を備える。第１のカバー２６１が、第１の調整棒２３４及び第３の調整棒２３５をカバーする。第１の固定装置２６２は、第１のカバー２６１に配置され、力を加えて第１の調整棒２３４と第３の調整棒２３５を押さえ、緊密に噛合させて、所要な位置でお互いに固定させる。
【００３９】
応用として、第１の固定装置２６２は、ねじボルト２６３、及びねじボルト２６３の外部に配置され、それを堅く又はゆるやかに回転させる複数の滑り止めグルーブ２６４であってよい。又は、ノブ２６５は、ねじボルト２６３のトップに配置されることができ、以上のように回転させる。
【００４０】
第１の固定装置２６２は、偏心トグル（eccentric toggle）２６６であってもよく、偏心カムを操作することによって、それを堅く又はゆるやかに回転させることが更に容易となる。
【００４１】
延長アームユニット２００の第２の接続ヘッド２２０の外端部分２２１は、その上に配置されて、ドリルガイドホール２７１を有するドリルガイド部２７０を有する。延長アームユニット２００の位置及び第１の接続棒２３０の長さを調整した後で、ドリルガイドホール２７１の位置及び角度を調整できる。
【００４２】
本発明の一実施例による複数の歯科インプラントホールをあけるための位置決め補助装置は、複数の歯科インプラントホールをあけることに適用する。図５〜図７を参照する。本発明の位置決め補助装置は複数の歯科インプラントホールをあけることに応用される場合、従来の方法でまず患者の歯肉６００で第１の歯科インプラントホール６１０をドリルし、次に、本発明の位置決め補助装置のリファレンスシャフト３００を第１の歯科インプラントホール６１０に挿入して固定して、位置決めしてサポートを提供し、続いて、リファレンスシャフト３００及び接続軸４００を枢動することによって、延長アームユニット２００のドリルガイドホール２７１を第２の歯科インプラントホール６２０に調整し、続いて、第１の接続棒２３０の長さを調整し、それにより、ドリルガイド部２７０及びドリルガイドホール２７１の角度を調整する。そのため、第２の歯科インプラントホール６２０の位置及び角度を容易に調整でき、ドリル５００を導いてドリルガイドホール２７１を介して精確に歯科インプラントホールをドリルする。前記に類似する方式で、第３の歯科インプラントホール、第４の歯科インプラントホールなどの位置及び角度を容易に調整できる。
【００４３】
図８を参照する。位置決め補助装置の調整範囲を拡大するために、メインアームユニット１００のアームボディー１３０は、第１の長さ調整機構２３３に類似する構造を有する第２の長さ調整機構１３３を更に有する。実施された例において、アームボディー１３０は、お互いに重なり合う第１の調整アーム１３４と第２の調整アーム１３５を有する。第１の調整アーム１３４の外端には、第１端１１０が形成され、第２の調整アーム１３５の外端には、第２端１２０が形成される。そのため、第１の調整アーム１３４と第２の調整アーム１３５が重なる部分の長さを調整することによって、アームボディー１３０の全長を相対的に調整でき、延長アームユニット２００及びアームボディー１３０に接続されたドリルガイド部２７０の位置を更に調整する。また、第１の調整アーム１３４及び第２の調整アーム１３５は、それぞれにその隣接面に配置される第２のねじ山１３６によって噛合して、第１の調整アーム１３４と第２の調整アーム１３５をより安定に重なり合わせる。
【００４４】
アームボディー１３０の調整後の長さを安定させるために、アームボディー１３０も、第１の調整アーム１３４及び第２の調整アーム１３５を固定するための第２の固定機構１６０を有する。第２の固定機構１６０は、構造上、第１の固定機構２６０に類似し、且つ第２のカバー１６１及び第２の固定装置１６２を備える。第２のカバー１６１は、第１の調整アーム１３４及び第２の調整アーム１３５をカバーする。第２の固定装置１６２は、第２のカバー１６１に配置され、力を加えて第２の調整アーム１３５と第１の調整アーム１３４を押さえ、緊密に噛合させて、所要な位置でお互いに固定させる。
【００４５】
そのため、本発明の実施例の複数の歯科インプラントホールをあけるための位置決め補助装置によれば、複数の歯科インプラントホールをあける応用において、第２の歯科インプラントホール及びその他のホールの位置と角度は、容易に調整されることができ、ドリルを導いて位置決められたドリルガイドホールを介して、それらの歯科インプラントホールを精確にあける。それによって、例えば、各歯科インプラントホールへの位置決め補助装置の複雑な設置及び既製歯型設置などの従来の技術における迷惑及び不便を克服した。
【００４６】
本発明の範囲と精神から逸脱しない限り、本発明の構造に対して多様な修正や変動をくわえることができることは、当業者に明らかである。前記内容に鑑みて、本発明に対する修正や変動が以下の請求の範囲に属する場合に、これらの修正や変動は本発明に含まれる。
【符号の説明】
【００４７】
１００  メインアームユニット、１１１  軸ホール、１２１  第２の接続ホール、１３１  第１のスルーホール、１３３  第２の長さ調整機構、１３５  第２の調整アーム、１４１  第１の固定ねじボルト、１４３  第１の位置決めビード、１５１  第２の固定ねじボルト、１５３  第２の位置決めビード、１６１  第２のカバー、２００  延長アームユニット、２１１  第１の接続ホール、２１３  第１の接続アーム、２１５  第２のピンホール、２２１  外端部分、２２３  第２の接続アーム、２２５  第４のピンホール、２３１  第１のピボットホール、２３３  第１の長さ調整機構、２３５  第３の調整棒、２３７  目盛線、２４１  第２のピボットホール、２４４  第３のピンホール、２５２  第２のピン、２５４  第４のピン、２６１  第１のカバー、２６３  ねじボルト、２６５  ノブ、２７０  ドリルガイド部、３００  リファレンスシャフト、３２０  第１の止めカラー、４１０  第２の位置決め溝、５００  ドリル、６１０  第１の歯科インプラントホール、１１０  第１端、１２０  第２端、１３０  アームボディー、１３２  第２のスルーホール、１３４  第１の調整アーム、１４０  第１の位置決め機構、１４２  第１のスプリング、１５０  第２の位置決め機構、
１５２  第２のスプリング、１６０  第２の固定機構、１６２  第２の固定装置、２１０  第１の接続ヘッド、２１２  第１の接続トレンチ、２１４  第１のピンホール、２２０  第２の接続ヘッド、２２２  第２の接続トレンチ、２２４  第３のピンホール、２３０  第１の接続棒、２３２  第３のピボットホール、２３４  第１の調整棒、２３６  第１のねじ山、２４０  第２の接続棒、２４２  第４のピボットホール、２５１  第１のピン、２５３  第３のピン、２６０  第１の固定機構、２６２  第１の固定装置、２６４  滑り止めグルーブ、２６６  偏心トグル、２７１  ドリルガイドホール、３１０  第１の位置決め溝、４００  接続軸、４２０  第２の止めカラー、６００  歯肉、６２０  第２の歯科インプラントホール
【図１】
0005425827.tif 000002
【図２】
0005425827.tif 000003
【図２ａ】
0005425827.tif 000004
【図２ｂ】
0005425827.tif 000005
【図２ｃ】
0005425827.tif 000006
【図３】
0005425827.tif 000007
【図４】
0005425827.tif 000008
【図５】
0005425827.tif 000009
【図６】
0005425827.tif 000010
【図７】
0005425827.tif 000011
【図８】
0005425827.tif 000012